(57)【要約】【課題】部品点数及び組み付け工数を削減することができ、組み立てを簡略化することができ、又障子のスリム化を図ることができ、意匠性及び開放感の高い多重ガラス障子及び当該多重ガラス障子用枠体を提供する。【解決手段】複数枚のガラス板をその周囲において枠体により隔置した多重ガラス障子であって、前記枠体は、複数枚のガラス板の間隔を保持する内面部及び外面側部と、当該内面部及び外面側部に連設されガラス板の内側に面する側辺部と、乾燥剤を収納する空間部とを有するスペーサー部と、前記複数枚のガラス板の周縁部の内側に面する縦框部を有する框部とを備え、当該枠体のスペーサー部と框部とは、枠体形成材料により一体成型されていることを特徴とする多重ガラス障子。【選択図】図３
2014208568.tif 000002
【特許請求の範囲】
【請求項１】
第１のガラス板及び第２のガラス板をその周囲において枠体により隔置して、前記第１及び第２のガラス板の間に中空層を備えた多重ガラス障子であって、
前記枠体は、
前記第１及び第２のガラス板の間隔を保持する内面部及び外面側部と、当該内面部及び外面側部に連設され前記第１及び第２のガラス板の内側に面する側辺部と、乾燥剤を収納可能な空間部とを有するスペーサー部と、
前記第１及び第２のガラス板の周縁部の内側に面する縦框部を有する框部と、を備え、
当該枠体のスペーサー部と框部とは、枠体形成材料により一体成型されていることを特徴とする多重ガラス障子。
【請求項２】
第１のガラス板及び第２のガラス板をその周囲において枠体により隔置して、前記第１及び第２のガラス板の間に中空層を備えた多重ガラス障子であって、
前記枠体は、
前記第１及び第２のガラス板の間隔を保持するスペーサー部と、
前記中空層に対して前記スペーサー部よりも外側に位置し、かつ前記第１及び第２のガラス板の周縁部の内側に面する縦框部を有する框部と、を備え、
当該枠体のスペーサー部と框部とは、枠体形成材料により一体成型されていることを特徴とする多重ガラス障子。
【請求項３】
前記枠体の框部は、前記第１及び第２のガラス板の周縁部の内側に面する縦框部と当該縦框部に連設され前記第１及び第２のガラス板の端面部に面する屈曲框部とを有することを特徴とする、請求項１又は２に記載の多重ガラス障子。
【請求項４】
前記枠体の框部の断面形状が略コの字状であることを特徴とする、請求項１〜３のいずれか１項に記載の多重ガラス障子。
【請求項５】
前記框部の縦框部及びスペーサー部の側辺部と、前記第１及び第２のガラス板とは、それらが面する部分において接着材により接着されていることを特徴とする、請求項１〜４のいずれか１項に記載の多重ガラス障子。
【請求項６】
前記枠体形成材料が合成樹脂であることを特徴とする、請求項１〜５のいずれか１項に記載の多重ガラス障子。
【請求項７】
前記枠体のスペーサー部と框部とは、熱可塑性合成樹脂材料により押出し成型法、又は共押出し成型法により一体成型されていることを特徴とする、請求項６に記載の多重ガラス障子。
【請求項８】
前記枠体は、その縦断面の中央線に関し、略左右対称の構造であることを特徴とする、請求項１〜７のいずれか１項に記載の多重ガラス障子。
【請求項９】
前記枠体は、その縦断面の中央線に関し、略左右対称の構造であり、左右に一対の縦框部及び屈曲框部を有し、左右に一対の縦框部の間には溝部が形成されていることを特徴とする、請求項１〜８のいずれか１項に記載の多重ガラス障子。
【請求項１０】
前記溝部には、端部保護カバーが配設されていることを特徴とする、請求項９に記載の多重ガラス障子。
【請求項１１】
前記框部の縦框部及びスペーサー部の側辺部が、前記第１及び第２のガラス板の周辺部において多重ガラス障子の意匠面となっていることを特徴とする、請求項１〜１０のいずれか１項に記載の多重ガラス障子。
【請求項１２】
前記第１及び第２のガラス板が矩形状であり、前記第１及び第２のガラス板がその周縁の４辺において前記枠体により隔置されていることを特徴とする、請求項１〜１１のいずれか１項に記載の多重ガラス障子。
【請求項１３】
前記第１及び第２のガラス板は、面内の許容応力が４７ＭＰａ以上のガラス板であることを特徴とする、請求項１〜１２のいずれか１項に記載の多重ガラス障子。
【請求項１４】
前記第１及び第２のガラス板は、厚さが２ｍｍ〜３ｍｍのガラス板であることを特徴とする、請求項１〜１３のいずれか１項に記載の多重ガラス障子。
【請求項１５】
前記中空層に封入される気体がアルゴンガスであり、前記中空層の厚さが１３ｍｍ〜１７ｍｍであることを特徴とする、請求項１〜１４のいずれか１項に記載の多重ガラス障子。
【請求項１６】
前記第１及び第２のガラス板は、低放射膜を有することを特徴とする、請求項１〜１５のいずれか１項に記載の多重ガラス障子。
【請求項１７】
前記中空層には、少なくとも１枚の中間板が隔置して配され、
前記枠体は、前記スペーサー部の内面部に前記中間板を保持する中間板保持部を有することを特徴とする、請求項１〜１６のいずれか１項に記載の多重ガラス障子。
【請求項１８】
第１のガラス板と第２のガラス板とをその周囲において枠体により隔置する多重ガラス障子用枠体であって、
前記枠体は、
前記第１及び第２のガラス板の間隔を保持する内面部及び外面側部と、当該内面部及び外面側部に連設され前記第１及び第２のガラス板の内側に面する側辺部と、乾燥剤を収納可能な空間部とを有するスペーサー部と、
前記第１及び第２のガラス板の周縁部の内側に面する縦框部を有する框部と、を備え、
当該枠体のスペーサー部と框部とは、枠体形成材料により一体成型されていることを特徴とする多重ガラス障子用枠体。
【請求項１９】
第１のガラス板と第２のガラス板とをその周囲において枠体により隔置する多重ガラス障子用枠体であって、
前記枠体は、
前記第１及び第２のガラス板の間隔を保持するスペーサー部と、
前記中空層に対して前記スペーサー部よりも外側に位置し、かつ前記第１及び第２のガラス板の周縁部の内側に面する縦框部を有する框部と、を備え、
当該枠体のスペーサー部と框部とは、枠体形成材料により一体成型されていることを特徴とする多重ガラス障子用枠体。
【請求項２０】
前記枠体の框部は、前記第１及び第２のガラス板の周縁部の内側に面する縦框部と当該縦框部に連設され前記第１及び第２のガラス板の端面部に面する屈曲框部とを有することを特徴とする、請求項１８又は１９に記載の多重ガラス障子用枠体。
【請求項２１】
前記枠体の框部の断面形状が略コの字状であることを特徴とする、請求項１８〜２０のいずれか１項に記載の多重ガラス障子用枠体。
【請求項２２】
前記枠体形成材料が合成樹脂であることを特徴とする、請求項１８〜２１のいずれか１項に記載の多重ガラス障子用枠体。
【請求項２３】
前記枠体のスペーサー部と框部とは、熱可塑性合成樹脂材料により押出し成型法、又は共押出し成型法により一体成型されていることを特徴とする、請求項２２に記載の多重ガラス障子用枠体。
【請求項２４】
前記枠体は、その縦断面の中央線に関し、略左右対称の構造であることを特徴とする、請求項１８〜２３のいずれか１項に記載の多重ガラス障子用枠体。
【請求項２５】
前記枠体は、その縦断面の中央線に関し、略左右対称の構造であり、左右に一対の縦框部及び屈曲框部を有し、左右に一対の縦框部の間には溝部が形成されていることを特徴とする、請求項１８〜２４のいずれか１項に記載の多重ガラス障子用枠体。
【発明の詳細な説明】
【技術分野】
【０００１】
本発明は、複数枚のガラス板を備えた多重ガラス障子及び多重ガラス障子用枠体に関する。
【背景技術】
【０００２】
２枚のガラス板を、スペーサーを介して隔置し、中空層が形成されてなる複層ガラスは、断熱性及び防音性に優れており、住宅、その他各種建造物の窓用として広く普及している。
【０００３】
このタイプの複層ガラスにおいて、間隔をあけて配設した２枚のガラス板の間に、上下框及び左右の縦框を内装して構成した複層ガラス障子が特許文献１として知られている。
【０００４】
又、複層ガラスを用いた複層ガラス障子構造として、２枚のガラス板を、当該板ガラス間の周縁部内側に凹陥部が形成されるようにガラス板の周縁部の内側に内部スペーサーを介して、該２枚のガラス板間に中空層が形成されるようにして複層ガラスを構成し、この複層ガラスの周縁部の前記凹陥部に保持枠を取付けてなる複層ガラス障子構造が、特許文献２として知られている。
【０００５】
特許文献１に記載の複層ガラス障子は、２枚のガラス板の間に上下框及び左右の縦框を内装することにより、２枚のガラス板の間に広い空間を形成することが容易で、断熱性及び遮音性を高めることができるとともに、表裏の面のガラス板の透視領域のガラス面積の拡大化を図ることにより、美観的にも優れた複層ガラス障子が得られるとされている。
【０００６】
又、特許文献２に記載の複層ガラス障子構造は、框の面積が小さくされており、採光性、意匠性が改善され、開放感があり、框の面積が小さいため、熱損失も少なくすることができ、框の結露の問題も改善できるとされている。
【０００７】
しかしながら、住宅、その他各種建造物の窓のデザインの多様化から、更に採光性能、意匠性及び開放感に優れ、かつ熱損失の少ない複層ガラス障子構造が望まれてきた。
【０００８】
又、既存の住宅、建造物等の窓の室内側にもう一つの内窓を配設し、二重窓化して、防音性、断熱性、防犯性を高める場合、内窓の障子は、より厚さが薄く、開口部が広くて開放感があり、意匠性に優れたものが要求される。
【０００９】
一方、従来の複層ガラスを用いて窓の障子を製作する場合、例えば、２枚のガラス板を、スペーサーを用いて隔置して中間に中空層を有する複層ガラスを製作し、この複層ガラスの周縁部に框を組付けて複層ガラス障子を製作するという複層ガラス製作工程及び框の組付け工程を経るため、部品点数が多く、又組立工数が多いという難点があった。
【先行技術文献】
【特許文献】
【００１０】
【特許文献１】実開昭６０−８９３９４号公報
【特許文献２】特開２０００-３５６０７５号公報
【発明の概要】
【発明が解決しようとする課題】
【００１１】
本発明は、かかる各種の要求に応え、障子をスリム化することができ、意匠性及び開放感が高く、又部品点数、組み付け工数も削減された多重ガラス障子及び多重ガラス障子用枠体を提供することを目的とするものである。
【課題を解決するための手段】
【００１２】
本発明者は、前記の課題を解決するために、鋭意検討した結果、本発明に至ったものであり、下記の多重ガラス障子及び多重ガラス障子用枠体を提供するものである。なお、本発明の障子は、スペーサー部と框部とが一体化された枠体を用いて複数枚のガラス板を隔置して構成されているので、複層ガラス障子とは言わず、多重ガラス障子と称する。
【００１３】
（１）第１のガラス板及び第２のガラス板をその周囲において枠体により隔置して、前記第１及び第２のガラス板の間に中空層を備えた多重ガラス障子であって、前記枠体は、前記第１及び第２のガラス板の間隔を保持する内面部及び外面側部と、当該内面部及び外面側部に連設され前記第１及び第２のガラス板の内側に面する側辺部と、乾燥剤を収納可能な空間部とを有するスペーサー部と、前記第１及び第２のガラス板の周縁部の内側に面する縦框部を有する框部と、を備え、当該枠体のスペーサー部と框部とは、枠体形成材料により一体成型されていることを特徴とする多重ガラス障子。
【００１４】
（２）第１のガラス板及び第２のガラス板をその周囲において枠体により隔置して、前記第１及び第２のガラス板の間に中空層を備えた多重ガラス障子であって、前記枠体は、
前記第１及び第２のガラス板の間隔を保持するスペーサー部と、前記中空層に対して前記スペーサー部よりも外側に位置し、かつ前記第１及び第２のガラス板の周縁部の内側に面する縦框部を有する框部と、を備え、当該枠体のスペーサー部と框部とは、枠体形成材料により一体成型されていることを特徴とする多重ガラス障子。
【００１５】
（３）前記枠体の框部は、前記第１及び第２のガラス板の周縁部の内側に面する縦框部と当該縦框部に連設され前記第１及び第２のガラス板の端面部に面する屈曲框部とを有することを特徴とする、上記（１）又は（２）に記載の多重ガラス障子。
【００１６】
（４）前記枠体の框部の断面形状が略コの字状であることを特徴とする、上記（１）〜（３）のいずれか１に記載の多重ガラス障子。
【００１７】
（５）前記框部の縦框部及びスペーサー部の側辺部と、前記第１及び第２のガラス板とは、それらが面する部分において接着材により接着されていることを特徴とする、上記（１）〜（４）のいずれか１に記載の多重ガラス障子。
【００１８】
（６）前記枠体形成材料が合成樹脂であることを特徴とする、上記（１）〜（５）のいずれか１に記載の多重ガラス障子。
【００１９】
（７）前記枠体のスペーサー部と框部とは、熱可塑性合成樹脂材料により押出し成型法、又は共押出し成型法により一体成型されていることを特徴とする、上記（６）に記載の多重ガラス障子。
【００２０】
（８）前記枠体は、その縦断面の中央線に関し、略左右対称の構造であることを特徴とする、上記（１）〜（７）のいずれか１に記載の多重ガラス障子。
【００２１】
（９）前記枠体は、その縦断面の中央線に関し、略左右対称の構造であり、左右に一対の縦框部及び屈曲框部を有し、左右に一対の縦框部の間には溝部が形成されていることを特徴とする、上記（１）〜（８）のいずれか１に記載の多重ガラス障子。
【００２２】
（１０）前記溝部には、端部保護カバーが配設されていることを特徴とする、上記（９）に記載の多重ガラス障子。
【００２３】
（１１）前記框部の縦框部及びスペーサー部の側辺部が、前記第１及び第２のガラス板の周辺部において多重ガラス障子の意匠面となっていることを特徴とする、上記（１）〜（１０）のいずれか１に記載の多重ガラス障子。
【００２４】
（１２）前記第１及び第２のガラス板が矩形状であり、前記第１及び第２のガラス板がその周縁の４辺において前記枠体により隔置されていることを特徴とする、上記（１）〜（１１）のいずれか１に記載の多重ガラス障子。
【００２５】
（１３）前記第１及び第２のガラス板は、面内の許容応力が４７ＭＰａ以上のガラス板であることを特徴とする、上記（１）〜（１２）のいずれか１に記載の多重ガラス障子。
【００２６】
（１４）前記第１及び第２のガラス板は、厚さが２ｍｍ〜３ｍｍのガラス板であることを特徴とする、上記（１）〜（１３）のいずれか１に記載の多重ガラス障子。
【００２７】
（１５）前記中空層に封入される気体がアルゴンガスであり、前記中空層の厚さが１３ｍｍ〜１７ｍｍであることを特徴とする、上記（１）〜（１４）のいずれか１に記載の多重ガラス障子。
【００２８】
（１６）前記第１及び第２のガラス板は、低放射膜を有することを特徴とする、上記（１）〜（１５）のいずれか１に記載の多重ガラス障子。
【００２９】
（１７）前記中空層には、少なくとも１枚の中間板が隔置して配され、前記枠体は、前記スペーサー部の内面部に前記中間板を保持する中間板保持部を有することを特徴とする、上記（１）〜（１６）のいずれか１に記載の多重ガラス障子。
【００３０】
（１８）第１のガラス板と第２のガラス板とをその周囲において枠体により隔置する多重ガラス障子用枠体であって、前記枠体は、前記第１及び第２のガラス板の間隔を保持する内面部及び外面側部と、当該内面部及び外面側部に連設され前記第１及び第２のガラス板の内側に面する側辺部と、乾燥剤を収納可能な空間部とを有するスペーサー部と、前記第１及び第２のガラス板の周縁部の内側に面する縦框部を有する框部と、を備え、当該枠体のスペーサー部と框部とは、枠体形成材料により一体成型されていることを特徴とする多重ガラス障子用枠体。
【００３１】
（１９）第１のガラス板と第２のガラス板とをその周囲において枠体により隔置する多重ガラス障子用枠体であって、前記枠体は、前記第１及び第２のガラス板の間隔を保持するスペーサー部と、前記中空層に対して前記スペーサー部よりも外側に位置し、かつ前記第１及び第２のガラス板の周縁部の内側に面する縦框部を有する框部と、を備え、当該枠体のスペーサー部と框部とは、枠体形成材料により一体成型されていることを特徴とする多重ガラス障子用枠体。
【００３２】
（２０）前記枠体の框部は、前記第１及び第２のガラス板の周縁部の内側に面する縦框部と当該縦框部に連設され前記第１及び第２のガラス板の端面部に面する屈曲框部とを有することを特徴とする、上記（１８）又は（１９）に記載の多重ガラス障子用枠体。
【００３３】
（２１）前記枠体の框部の断面形状が略コの字状であることを特徴とする、上記（１８）〜（２０）のいずれか１に記載の多重ガラス障子用枠体。
【００３４】
（２２）前記枠体形成材料が合成樹脂であることを特徴とする、上記（１８）〜（２１）のいずれか１に記載の多重ガラス障子用枠体。
【００３５】
（２３）前記枠体のスペーサー部と框部とは、熱可塑性合成樹脂材料により押出し成型法、又は共押出し成型法により一体成型されていることを特徴とする、上記（２２）に記載の多重ガラス障子用枠体。
【００３６】
（２４）前記枠体は、その縦断面の中央線に関し、略左右対称の構造であることを特徴とする、上記（１８）〜（２３）のいずれか１に記載の多重ガラス障子用枠体。
【００３７】
（２５）前記枠体は、その縦断面の中央線に関し、略左右対称の構造であり、左右に一対の縦框部及び屈曲框部を有し、左右に一対の縦框部の間には溝部が形成されていることを特徴とする、上記（１８）〜（２４）のいずれか１に記載の多重ガラス障子用枠体。
【発明の効果】
【００３８】
従来の複層ガラス障子において用いられていたスペーサーと框とは、それぞれ別体となっており、その組立て作業もスペーサーとガラス板とのシール材による接着作業、又框とガラス板とのシール材による組み立て作業を別々に行なうことを要したが、本発明の多重ガラス障子及び多重ガラス障子用枠体によれば、スペーサー部と框部とが一体成型された枠体を用いて第１のガラス板と第２のガラス板とを隔置して多重ガラス障子化しているので、部品点数および組み付け工数を削減できる。これにより、多重ガラス障子の組み立てを簡略化でき、コスト低減化を図ることができる。
【００３９】
又、枠体に中間板保持部を備えることにより、中空層に中間板を配置でき、容易に多層からなる多重ガラス障子を構成できる。
【００４０】
又、スペーサー部と框部とを一体化することにより、枠体を小さくでき、多重ガラス障子における框部及びスペーサー部の占める面積を少なくすることができる。これにより、透視部分のガラス板の面積を大きくでき、眺望性の向上、開放感の向上を図ることができる。
【００４１】
又、スペーサー部と框部とが一体化された枠体により、第１のガラス板と第２のガラス板をその周囲において隔置しているので、多重ガラス障子のスリム化を図ることができ、意匠性の向上を図ることができる。
【００４２】
又、第１及び第２のガラス板に、面内の許容応力が４７ＭＰａ以上のガラス板を使用することにより、温度変化によって中空層が膨張、収縮した場合であっても、ガラス板が割れるのを防止できる。
【図面の簡単な説明】
【００４３】
【図１】本発明の一実施形態の多重ガラス障子の概略正面図。
【図２】本発明の一実施形態に係わる多重ガラス障子の一部断面概略斜視図。
【図３】図２の円Ａの部分の概略を示した縦断面図。
【図４】本発明の多重ガラス障子に用いられる枠体の一実施形態に係わる概略縦断面図。
【図５】本発明の多重ガラス障子に用いられる枠体の他の実施形態に係わる概略縦断面図。
【図６】本発明の多重ガラス障子に用いられる枠体の他の実施形態に係わる概略縦断面図。
【図７】本発明の上辺側の枠体と下辺側の枠体を有する多重ガラス障子が適用された引き違い窓の概略縦断面図。
【図８】本発明の側辺側の枠体を有する多重ガラス障子が適用された引き違い窓の概略断面図。
【図９】本発明の多重ガラス障子に用いられる枠体の他の実施形態に係わる概略縦断面図。
【図１０】温度変化によって中空層の内圧が変化したときに２枚のガラス板に生じる応力（面内）の解析結果を示す表図。
【図１１】接着厚、接着幅を変えたときの２枚のガラス板に生じる応力（面内）の解析結果を示す表図。
【発明を実施するための形態】
【００４４】
次に、本発明の多重ガラス障子及び多重ガラス障子用枠体を図１〜図１１の図面に基づいて具体的に説明する。図面は本発明の好ましい実施形態を例示したものであり、本発明は例示の図面とその説明に限定されない。
【００４５】
《多重ガラス障子及び多重ガラス障子用枠体》
図１は、本発明に係る多重ガラス障子の正面図、図２は、本発明に係る多重ガラス障子の一部断面概略斜視図、図３は、図２の円Ａの部分の概略を示した縦断面図である。
【００４６】
図１において、符号１は多重ガラス障子、符号２はガラス板、符号３は多重ガラス障子の上端側の枠体、符号４は多重ガラス障子の側端側の枠体、符号５は多重ガラス障子の下端側の枠体（本明細書において、以下、上端側の枠体、側端側の枠体、及び下端側の枠体を総称して枠体５ともいう。）を示す。
【００４７】
図３は、２枚のガラス板を隔置する二重タイプ（即ち、ガラス板を２枚有するタイプ）の多重ガラス障子に用いられる枠体の構造の例を示したものである。同図に示されるように、下端側の枠体５は、２枚のガラス板（第１のガラス板及び第２のガラス板）２、２の間隔を保持する内面部６及び外面側部７と、当該内面部６及び外面側部７に連設されガラス板２、２の内側に面する側辺部８、８と、乾燥剤を収納可能な空間部９とを有するスペーサー部１０と、前記２枚のガラス板２、２の周縁部の内側に面する縦框部１１と、当該縦框部１１に連設され前記ガラス板２、２の端面部に面する屈曲框部１２を有する框部１３と、を備え、当該枠体５のスペーサー部１０と框部１３とは、枠体形成材料により一体成型されている。本発明において、一体成型とは、枠体形成材料を、押出し成型法、共押出し成型法、あるいは射出成型法等の一体成型法により成型することを意味する。
【００４８】
枠体形成材料としては、合成樹脂材料、あるいはアルミニウム材料が好ましく使用される。かかる枠体形成用の合成樹脂材料としては、硬質塩化ビニル樹脂材料、アクリロニトリル・スチレン樹脂材料等の熱可塑性合成樹脂材料及びこれらにガラス繊維材を入れたものが、好ましい例として挙げられるが、勿論これらの熱可塑性合成樹脂材料に限定されるものではなく、各種熱可塑性合成樹脂材料も使用できる。
【００４９】
又、枠体形成材料としては、一種に限らず、複数種類の材料を用いて複合構造としてもよい。例えば、異なる合成樹脂材料を共押出し成型法により部分的に異なる合成樹脂材料からなる複合構造の枠体であってもよいし、又、上記したような合成樹脂材料とアルミニウム材料からなる複合構造の枠体であってもよい。この複合構造の枠体の場合、いずれか一種の枠体形成材料により、一体成型されていればよい。一体成型された枠体は、部分的、あるいは全体に異なる合成樹脂材料及び／又は金属材料が接合されていてもよい。特に、硬質の塩化ビニル樹脂材料やアクリロニトリル・スチレン樹脂材料によりスペーサー部１０と框部１３を一体成型した枠体は、障子として用いたときに、断熱性に優れており、一体成型が容易で、耐久性に優れ、安価であるので好ましい。
【００５０】
本発明の多重ガラス障子においては、２枚のガラス板２、２が、その周辺部において上記した枠体５により隔置され、２枚のガラス板２、２の間に密閉された空間部分が設けられる。この空間部分は、本明細書においては、中空層２５と称し、この中空層２５には、乾燥空気、あるいは不活性ガス等のガスが充填され、断熱性及び／又は防音性が高められる。又、スペーサー部１０の空間部９に乾燥剤を入れた場合には、乾燥剤により多重ガラス障子１の結露防止性能が付与される。かかる中空層２５は、空気層あるいはガス層と呼ばれることもある。
【００５１】
本発明の枠体５の框部１３の縦框部１１は、中空層２５に対してスペーサー部１０よりも外側に位置し、隔置された２枚のガラス板２、２の周縁部において内装される構造となっている。又、屈曲框部１２は、縦框部１１の、スペーサー部１０の側辺部８と反対側の終端部からガラス板２側に屈曲し、横方向に延び、ガラス板の端面部を保護し、支える部分であり、更に必要に応じてガラス板２、２の脱落を防ぐ部分であり、屈曲框部１２の屈曲部分の先端の長さは、ガラス板２、２の略板厚程度の長さ、あるいはガラス板２、２の外側に若干食み出る程度の長さとされるのが好ましい。上記したように、本発明の好ましい態様においては、枠体５の一体成型化された框部１３の縦框部１１とスペーサー部１０の側辺部８とが、連続した面となっているので、この枠体５の框部１３の縦框部１１とスペーサー部１０の側辺部８のガラス板側の色調、面状態を考慮すれば、この框部１３の縦框部１１及びスペーサー部１０の側辺部８を多重ガラス障子１の周辺部における意匠面とすることができる。
【００５２】
スペーサー部１０の空間部９に乾燥剤を収納する場合には、スペーサー部１０の内面部６に通気孔を設ける。通気孔は、空間部９に連通して設けられ、かつ、枠体５の長手方向に沿って複数設けられる。空間部９に乾燥剤を収納し、通気孔を介して、空間部９と中空層２５とを連通することにより、中空層２５の乾燥状態を維持でき、結露を防止できる。通気孔は枠体を成型した後に加工される。スペーサー部１０の内面部６には、通気孔を加工しやすくするため、図３に示されるような薄板部１６を設けることが好ましい。
【００５３】
図３においては、多重ガラス障子の枠体の構造を下端側の枠体５を例にして具体的に説明したが、上端側の枠体３及び側端側の枠体４の構造も、基本的には下端側の枠体５の構造と同様である。
【００５４】
上記した２枚のガラス板２、２の形状、厚さ（板厚）は、目的とされる多重ガラス障子の形状、寸法に応じて適宜、選択される。通常の住宅用、その他建造物の窓に使用される場合、一般的にガラス板の形状は、矩形の平板形状であり、その板厚は、０．７ｍｍ〜１０ｍｍの範囲である。２枚のガラス板の形状が、矩形の平板形状である場合、その寸法（高さと横幅）は、同一、又はほぼ同寸法であることが好ましい。
【００５５】
又、２枚のガラス板には、通常、建築用として用いられているフロートガラス板、普通ガラス板、熱線吸収ガラス板、紫外線吸収ガラス板、熱線反射ガラス板、低放射膜を有する低放射ガラス板（Ｌｏｗ−Ｅガラス板）、型板ガラス、合わせガラス、線・網入りガラス板、風冷強化ガラス板の他、ガラス板にイオン交換強化処理を施した、いわゆる化学強化ガラス板や、これらの機能が複合化されたガラス板などを使用でき、目的とする要求仕様に応じて適宜、その種類が選択される。特に、化学強化ガラス板は、強化処理によりその表面に圧縮応力が付与されて、破壊強度が高められているので、フロートガラス板、普通ガラス板の場合のガラス板の板厚（例えば、３〜６ｍｍ）よりも板厚を薄くでき（例えば０．７〜２ｍｍ程度の板厚とすることができる。）、多重ガラス障子を軽量化及び薄板化できるので、好ましい。
【００５６】
なお、２枚のガラス板は、共に板厚が異なっていてもよいし、種類が異なっていてもよい。
【００５７】
２枚のガラス板が矩形の平板形状である場合、各ガラス板は、その周囲の４辺において前記した枠体（即ち、上端側、左端側、右端側及び下端側の枠体）により隔置されて、多重ガラス障子が構成されるのが好ましい。なお、上端側、左端側、右端及び下端側の枠体のそれぞれが突き合わされる４つの角のコーナーにおいては、コーナーブロックを差し込み、それぞれの枠体が連結される。多重ガラスの４辺とも同じ形状の枠体を使用すれば、多重ガラス障子の組み付けにおける部品点数を少なくすることができるとともに、多重ガラス障子の周辺部の外観、意匠を同じようにすることができるので好ましい。
【００５８】
本発明の多重ガラス障子においては、枠体５のスペーサー部１０の側辺部８と、框部１３の縦框部１１とは、それらとガラス板２とが面する部分において、接着材層１４によりガラス板２と接着され、複数枚のガラス板で形成される中空層２５の気密性を維持できるようにシールされている。
【００５９】
図４は、図３の多重ガラス障子用枠体の構造をより詳細に表わしたものである。各部分の符号は、図３と同様である。図３及び図４において示されるように、枠体５のスペーサー部１０の側辺部８と框部１３の縦框部１１とは連設されており、連続した面となっている。次に説明する凹部２１、２２を除いて対面するガラス板の面と平行な面方向において、枠体５のスペーサー部１０の側辺部８と框部１３の縦框部１１とは、ほぼ面一の構造である。
【００６０】
枠体５のスペーサー部１０の側辺部８と框部１３の縦框部１１とが連設した枠体５のガラス板２、２と面する部分の構造は、図５に示すように、枠体５のスペーサー部１０の側辺部８及び／又は框部１３の縦框部１１のガラス板２、２と対面する面に凹状部１５が形成されていてもよい。このような凹状部１５が形成されていれば、接着材層１４の厚さをこの凹状部１５の領域において、より厚くすることができ、接着性、封止性を高めることができる。
【００６１】
又、枠体５の框部１３の構造は、図６に示すように、縦框部１１の先の部分（即ち、スペーサー部１０の外面側部７と反対側の部分）が、溝部２０の内側方向に屈曲し、その先がガラス板２、２の先端方向に延びるような形状にしてもよい。このような屈曲先端部４５を有する縦框部１１の構造は、ガラス板２、２の周縁部分に凹状部１７が形成されるので、この凹状部１７に透水性が低く、接着性が優れた接着材を封入すれば、多重ガラス障子の接着性、封止性をより高めることができる。なお、上記したような框部１３の縦框部１１の先端部に屈曲先端部４５を設けず、縦框部１１の先端を直線状としてもよい。この形状は、図２〜６に例示した枠体において、框部１３の縦框部１１の先端に屈曲框部１２が形成されていない例である。
【００６２】
そして、図４に示されるように、枠体５は、多重ガラス障子の厚さ方向の縦断面の中央線Ｂ−Ｂに関し、略左右対称の構造となっており、左右に一対のスペーサー部１０の側辺部８と、左右に框部１３の一対の縦框部１１及び屈曲框部１２とを有し、左右に一対の縦框部１１の間には溝部２０が形成されており、框部１３の枠体の高さ方向の縦断面の断面形状は略コ字形状となっている。この框部１３の溝部２０には、戸車、戸車支持部材、外れ止め部品、その他の障子機能部材を設けることができ、この障子機能部材は、枠体５によって、多重ガラス障子の室外側からも、室内側からも隠蔽される状態となる。ここにおいて、左右の枠体のスペーサー部１０の側辺部８、８の高さ（スペーサー部の厚さに略相当する）は、同一ないし、略同一とされているのが好ましい。
【００６３】
又、左右の框部１３の縦框部１１、１１の高さも、同一ないし、略同一とされているのが好ましい。枠体５のスペーサー部１０の側辺部８の高さは、ガラス板２とスペーサー部１０の側辺部８との接着材による接着強度、透湿防止性及び意匠性を考慮して所定の高さが選ばれ、又框部１３の縦框部１１の高さは、上記した障子機能部材を隠蔽することができ、かつガラス板２と框部１３の縦框部１１との接着材による接着強度、透湿防止性及び意匠性を考慮して所定の高さが選ばれる。具体的には、枠体のスペーサー部１０の側辺部８の高さは、５ｍｍ〜１５ｍｍの範囲が好ましく、又框部１３の縦框部１１の高さは、１５ｍｍ〜５０ｍｍの範囲が好ましい。
【００６４】
上記した枠体５のスペーサー部１０の側辺部８のガラス板２側の面の一部には、多重ガラス障子の製造時に、ガラス板２とスペーサー部１０の側辺部８との間に注入、塗工、ないし配された接着材が、当該側辺部８の中空層２５側に食み出ないように、又、所定の接着材層の厚さを確保できるように、所定幅の凹部２１を設けることが好ましい。又、上記した框部１３の縦框部１１のガラス板２側の面の一部にも、上記した多重ガラス障子の製造時に、ガラス板２と框部１３の縦框部１１との間に注入、塗工、ないし配された接着材が、当該縦框部１１の外側（即ち、ガラス板２の端面側）に食み出ないように、また所定の接着材層の厚さを確保できるように、所定幅の凹部２２を設けることが好ましい。
【００６５】
図４に示すように、框部１３の左右の一対の縦框部１１の間に形成された溝部２０には、端部保護カバー３０を配設してもよい。この端部保護カバー３０は、溝部２０を多重ガラス障子の端面において塞ぐことができるような構造をしたものであれば種々の構造のものが使用される。又、端部保護カバー３０は、ガラス板２、２の端面を支持するような構造部を有していてもよい。
【００６６】
図示した端部保護カバー３０は、溝部２０の底面を多重ガラス障子の端面の長手方向を塞ぐ底面部３１と、縦框部１１、１１の溝部２０側の下方に設けられたガイド凸条２４、２４に対し、横方向からスライドして装着できるように設けられた、先端がＬ字状に屈曲したガイドリブ部３２、３２と、ガラス板２、２の外側の端面部に面する屈曲部３３とを有するものである。図示した例は、スライド装着方式の例の端部保護カバーであるが、これに限らず、溝部２０に対し、図４においては下方向から嵌合方式で装着されるような構造としてもよく、又、その他の装着方式に対応できるような構造としたものも使用可能である。
【００６７】
多重ガラス障子の下辺側には、引き違い戸の場合、通常、障子用の戸車が装着されるので、戸車を除く部分に端部保護カバー３０設けてもよい。又、多重ガラス障子の上辺側、側辺側においては、端部保護カバー３０を配設するのが好ましい。ガラス板が矩形形状である多重ガラス障子の４辺に上記した同じ形状の枠体をそれぞれ使用しても、上辺側、側辺側における枠体の溝部に端部保護カバー３０を配設することで、溝部２０を塞ぎ、実用に供することができ、多重ガラス障子の組み付け部品点数の削減に効果的である。
【００６８】
端部保護カバー３０が、多重ガラス障子の上辺側、左側辺側、又右側辺側の溝部２０に設けられる場合、上辺側、左側辺側、又右側辺側において要求される機能に応じて、端部保護カバー３０の構造を変更することができる。
【００６９】
なお、多重ガラス障子の開閉方式がスイング方式の場合には、戸車が必要でないので、左辺側、右辺側及び上辺側の端部保護カバーは、戸車に対応する構造変更は不要であり、下辺側、上辺側、左側辺側、及び右側辺側を同様の構造とすることができる。
【００７０】
《引き違い窓への適用例》
図７は、本発明の上辺側の枠体と下辺側の枠体を有する多重ガラス障子が適用された引き違い窓の概略縦断面図である。
【００７１】
図７に示した、引き違い窓に適用された状態の本発明に係る多重ガラス障子１ａ、１ｂの下辺側の枠体５の溝部２０ａにおいては、戸車３４が戸車取付け部材３５を介して回転自在に装着されており、窓枠３６の下辺に設けられた走行レール３７に沿って多重ガラス障子１ａ、１ｂが走行するように構成されている。ここにおいて、戸車取付け部材３５の左右の下端部３８と、縦框部１１の下端との間には、それぞれ端部保護カバー３０ａが配されており、この端部保護カバー３０ａの走行レール３７側には、走行レール３７と接触するヒレ部３９が設けられている。
【００７２】
なお、図７において、左右の多重ガラス障子１ａ、１ｂの戸車取付け部材３５は、それぞれ異なる構造のものを例示している。
【００７３】
又、多重ガラス障子の上辺側の枠体３の溝部２０ｂには、窓枠３６の上辺に設けられた走行レール４０が納まり、走行レール４０に沿って多重ガラス障子１ａ、１ｂがガイド走行できるようにヒレ部４１、４１を有する凹部４２を有する端部保護カバー３０ｂが装着されている。
【００７４】
図８は、図７に示した引き違い窓に適用された多重ガラス障子の召合せ部分を説明するための図面であり、多重ガラス障子の側辺側の枠体４の溝部２０ｃに装着される端部保護カバー３０ｃには、多重ガラス障子１ａ、１ｂ同士の召合せ部分において相互に接触する召し合せ部気密材４３が設けられており、一方、窓枠３６の多重ガラス障子１ａ、１ｂの側端部と召合う部分においては縦枠部気密材４４が設けられている。なお、図８においては、図７における各部と同一の部分については、同一の符号をもって表示している。
【００７５】
《三重タイプの多重ガラス障子》
図９は、両側に２枚のガラス板２、２と、その２枚のガラス板２、２の間にもう１枚の中間板６０を隔置する三重タイプ（即ち、ガラス板と中間板とを合計で３枚有するタイプ）の多重ガラス障子に用いられる枠体の構造の例を示したものである。図示した例は、多重ガラス障子の下辺側に配される枠体の例を示したものである。同図においては、多重ガラス障子の枠体の構造を下端側の枠体５を例にしてその構造について具体的に説明しているが、上端側の枠体３及び側端側の枠体４の構造も、基本的には下端側の枠体５の構造と同様である。この下端側の枠体５は、外側の２枚のガラス板（第１のガラス板及び第２のガラス板）２、２の間隔を保持する内面部６及び外面側部７と、当該内面部６及び外面側部７に連設されガラス板内側に面する側辺部８、８と、乾燥剤を収納可能な空間部９、９とを有するスペーサー部１０と、前記両側のガラス板の周縁部の内側に面する縦框部１１と当該縦框部１１に連設され前記ガラス板２、２の端面部に面する屈曲框部１２を有する框部１３とを備えた構造を有するものである。当該枠体のスペーサー部１０と框部１３とは、枠体形成材料により一体成型されている。枠体形成材料としては、前述した合成樹脂材料、あるいはアルミニウム材料が好ましく使用される。
【００７６】
図９に示した枠体においては、スペーサー部１０の内面部６の中間部にもう１枚の中間板（例えば、ガラス板）６０を配することができるように、スペーサー部１０の長手方向に沿って、中間板保持部の一例としての挿入溝部５０が設けられている。そして、挿入溝部５０の溝内の両側には、挿入溝部５０に配された中間板の端部を支持できるように、弾性材料からなるリップ部５１が設けられている。又、挿入溝部５０の底部には、挿入溝部５０に配される中間板の端面部を保護し、位置決めを確実にできるように、弾性材料又はクッション性材料からなるベース部５２が設けられている。図示した例においては、リップ部５１、５１は、中間部に配される中間板の挿入が容易となるように、段違いに設けられているが、同じレベルで設けてもよい。又、この例では、挿入溝部５０の形成によって、スペーサー部１０の乾燥剤が充填される空間部９は、左右に２分割されている。なお、上記したようなリップ部による中間板の支持方式に限らず、グレージングチャンネルによる支持方式であってもよいし、又シール材、あるいはバックアップ材による支持方式であってもよい。
【００７７】
上記した中間板６０としては、透明板であってもよいし、着色されたものであってもよいし、模様付きのものであってもよいし、これらの組合わされたものでもよい。中間板６０としては、配設される場所、部位、意匠性等に応じて適宜の中間板が使用される。中間板６０は、第１及び第２のガラス板２、２の間に配置され、外部には露出しないので、要求される強度は、第１及び第２のガラス板２、２に比べて低く、板厚の薄い材料を使用することができる。従って、中間板としては、多重ガラス障子の全体の厚さを薄くすることができる板厚が２ｍｍ以下のガラス板が使用できる。特に、ガラス板の場合は、透明性及び耐久性が高く、より剛性も高いので、枠体のスペーサー部の挿入溝部５０に挿入して配設する作業も容易であり、好ましい。
【００７８】
上記の例は、三重タイプの多重ガラス障子に用いられる枠体の構造の例であるが、更に多重化する場合には、スペーサー部１０の内面部６に設置する中間板６０の枚数に応じた挿入溝部５０（中間板保持部）を設ける。たとえば、四重タイプの多重ガラス障子の場合には、挿入溝部５０を２つ設け、５重タイプの多重ガラス障子の場合には、挿入溝部５０を３つ設ける。この場合、各挿入溝部５０は、スペーサー部１０の厚さ方向に沿って所定の間隔で配置する。これにより、２枚のガラス板２、２の間に中間板６０が隔置される。また、この場合、隔置された中間板６０の間に中空層が備えられる。
【００７９】
《枠体の構成例》
本発明の多重ガラス障子において使用される枠体の各部の厚さ及び高さは、透湿防止性、断熱性、又多重ガラス障子の中空層の内部圧の変動、多重ガラス障子としての強度、耐久性等を考慮して、図３〜７に示すような構造、形状の場合、以下の通りとするのが好ましい。
【００８０】
・枠体のスペーサー部１０の側辺部８の高さ：５〜１５ｍｍ
・枠体のスペーサー部１０の側辺部８の厚さ：０．７〜３．０ｍｍ
・枠体のスペーサー部１０の内面部６及び外面側部７の厚さ：０．７〜３．０ｍｍ
・枠体のスペーサー部１０の内面部６及び外面側部７の幅：４〜７４ｍｍ
・枠体の框部１３の縦框部１１の高さ：１５〜５０ｍｍ
・枠体の框部１３の縦框部１１及び屈曲框部の厚さ：０．７〜３．０ｍｍ
なお、スペーサー部１０は空間部９を備えない構成とすることもできる。空間部９を備えた場合には、上記のように、空間部９に乾燥剤を入れることにより、多重ガラス障子に結露防止性能を付与できる。
【００８１】
《接着材》
本発明の多重ガラス障子において使用されるガラス板２とスペーサー部１０の側辺部８との間の接着に使用される接着材としては、ガラス板２とスペーサー部１０の側辺部８との間の優れた接着強度、透湿防止性、耐久性、良好な接着面等が得られるように、又ガラス板２とスペーサー部１０との接着工程の簡略化を考慮して、適宜の接着材が使用される。例えば、スペーサー部１０の側辺部８が、硬質塩化ビニル樹脂やアクリロニトリル・スチレン樹脂等の合成樹脂材料からなる場合、接着材としては、シリコーン系接着材、ポリサルファイド系接着材、ブチル系接着材、ホットメルト系接着材、エポキシ系接着材や、両面接着テープ、両面粘着テープなどが好ましく使用できる。又、ガラス板２と框部１３の縦框部１１との間の接着に使用される接着材としても、上記と同様に、ガラス板２と框部１３の縦框部１１との間の優れた接着強度、透湿防止性、耐久性、良好な接着面等が得られるように、又ガラス板２と縦框部１１との接着工程の簡略化を考慮して、適宜の接着材が使用される。例えば、框部１３の縦框部１１が、硬質塩化ビニル樹脂やアクリロニトリル・スチレン樹脂等の合成樹脂材料からなる場合、上記の例と同様に、接着材としては、シリコーン系接着材、ポリサルファイド系接着材、ブチル系接着材、ホットメルト系接着材、エポキシ系接着材や、両面接着テープ、両面粘着テープなども好ましく使用できる。
【００８２】
ガラス板２とスペーサー部１０の側辺部８との間の接着に使用される接着材と、ガラス板２と框部１３の縦框部１１との間の接着に使用される接着材とは、同様な接着材を使用するのが、上記した接着工程数が簡略化され、好ましいが、多重ガラス障子としての要求される性能によっては、異なる接着材を用いて、各要求性能に応じて機能分担させてもよい。又、使用される接着材は、透明接着材であっても、黒色系や、その他の所望に応じて適宜の色調を有する接着材であってもよい。透明接着材を使用すれば、枠体の框部の縦框部及びスペーサー部の側辺部を、前記ガラス板の周辺部において多重ガラス障子の意匠面とすることができる。又、黒色系や、その他の所望に応じて適宜の色調を有する接着材を使用すれば、この接着材層を多重ガラス障子の意匠面とすることができる。
【００８３】
《中空層》
多重ガラス障子１は、中空層２５の厚さと、中空層２５に封入される気体の種類によって断熱性が変化する。
【００８４】
中空層２５が同じ厚さであれば、空気（乾燥空気）よりもクリプトンガスやアルゴンガスを封入した方が高い断熱性が得られる。
【００８５】
また、封入する気体が同じであれば、中空層２５は、厚い方が高い断熱性が得られる。ただし、厚さに関しては限界があり、一定の厚さを超えると、それ以降は断熱性が向上しなくなる。
【００８６】
したがって、中空層２５の厚さは、封入する気体との関係で最も高い断熱性が得られる厚さに設定することが好ましい。
【００８７】
たとえば、アルゴンガスを封入する場合、中空層２５の厚さは１３ｍｍ〜１７ｍｍに設定することが好ましい。これにより、全体の板厚を抑えつつ、高い断熱性を得ることができる。
【００８８】
なお、中空層２５の厚さは、枠体５のスペーサー部１０の内面部６及び外面側部７の幅と接着材層の厚さ（両側２箇所の厚さの合計）とによって規定される。たとえば、枠体５のスペーサー部１０の内面部６及び外面側部７の幅が１４ｍｍであり、接着材層の厚さが０．５ｍｍの場合、中空層２５の厚さは１５ｍｍとなる。
【００８９】
《ガラス板》
密閉された中空層２５を有する多重ガラス障子１は、温度変化により中空層２５の内圧が変化し、中空層２５が膨張、収縮する。中空層２５が膨張、収縮すると、外側の２枚のガラス板２、２に応力が作用し、ガラス板２、２に割れが発生する。特に、断熱性を向上させるために、中空層２５の厚さを厚くすると、膨張、収縮も大きくなり、割れが発生しやすくなる。この割れを考慮すると、外側に配置される２枚のガラス板２、２には、許容応力の高いガラス板を使用することが好ましい。特に、面内の許容応力が４７ＭＰａ以上のガラス板を使用することが好ましい。
【００９０】
一方、外側の２枚のガラス板２、２は、その板厚が厚くなると、障子全体の厚さも厚くなるので、板厚の薄いガラス板であることが好ましく、板厚が２ｍｍ〜３ｍｍのガラス板であることが更に好ましい。
【００９１】
したがって、温度変化による割れ、及び、障子の総厚を考慮すると、外側の２枚のガラス板２、２には、板厚が２ｍｍ〜３ｍｍ、面内の許容応力が４７ＭＰａ以上のガラス板を使用することが好ましい。
【００９２】
〈中空層の内圧変化によるガラス板の応力解析〉
温度変化によって中空層の内圧が変化したときに２枚のガラス板に生じる応力（面内）をガラス板のガラス構成、ガラス寸法を変えて解析した。図１０は、解析結果を示す表である。ここでは、常温を２５℃とし、常温から３５℃低下した場合（−１０℃）と、３５℃上昇した場合（６０℃）について解析した（ただし、Ｎｏ．１０〜Ｎｏ．１８は低下時のみ）。
【００９３】
なお、解析に用いた多重ガラス障子は、図１に示す形態の二重タイプの多重ガラス障子であり、中空層の気体はアルゴンガスである。
【００９４】
また、解析に使用したガラス板、接着材、シール、枠体の物性値は以下のとおりである。
【００９５】
・ガラス…ヤング率：7.16×10＾4(MPa)、ポアソン比：0.23
・接着材…ヤング率：5.0(MPa)、ポアソン比：0.49
・シール…ヤング率：1.1(MPa)、ポアソン比：0.49
・スペーサー…ヤング率：6.9×10＾4(MPa)、ポアソン比：0.33
同表において、ガラス構成は［第１のガラス板の厚さ（ｍｍ）＋中空層の厚さ（ｍｍ）＋第２のガラス板の厚さ（ｍｍ）］を示している。したがって、たとえばＮｏ．１において、ガラス構成が［１．３＋２９．４＋１．３］とは、第１のガラス板の厚さが１．３ｍｍ、中空層の厚さが２９．４ｍｍ、第２のガラス板の厚さが１．３ｍｍであることを示している。なお、中空層の厚さは、スペーサー部の厚さと接着材層の厚さとで規定される。ここでは、接着材層の厚さを０．５ｍｍとしている。したがって、中空層の厚さが２９．４ｍｍとは、スペーサー部の厚さが２８．４ｍｍ、接着材層の厚さが０．５ｍｍ（×２）であることを示している（ただし、Ｎｏ．１２、１３、１８を除く）。
【００９６】
また、ガラス寸法は［ガラス板の高さ（ｍｍ）×ガラス板の横幅（ｍｍ）］を示している（第１のガラス板と第２のガラス板の寸法は同じ）。したがって、たとえばＮｏ．１において、ガラス寸法が［１１９７×８００］とは、高さが１１９７ｍｍ、横幅が８００ｍｍのガラス板であることを示している。なお、ガラス寸法の［５００×３５０］は、「ＪＩＳ  Ｒ  ３２０９」において、複層ガラスの耐久試験に規定されているガラス寸法である。
【００９７】
また、応力は、外気側の最大応力と、中空層側の最大応力を示している。ここで、外気側の最大応力は、枠体の中空層側のライン上で発生する（図３の符号Ｒで示す領域で発生する。）。また、中空層側の最大応力は、ガラス板の中央部分で発生する。
【００９８】
Ｎｏ．１〜Ｎｏ．９は、ガラス構成とガラス寸法を変えたときの応力の解析結果である。この解析結果から次のことが確認できる。（１）ガラス寸法が小さくなるほど発生応力が大きくなる。（２）ガラス板は、板厚が１．３ｍｍ、２．０ｍｍ、３．０ｍｍであれば、２．０ｍｍの発生応力が最も大きい。（３）中空層の厚さが厚くなると、発生応力が大きくなる。（４）膨張時（温度上昇時）よりも収縮時（温度低下時）の方が発生応力が大きくなる。
【００９９】
Ｎｏ．１０は、Ｎｏ．７との対比で中空層の厚さを更に拡大したときの応力の解析結果であり、Ｎｏ．１１は、Ｎｏ．８との対比で中空層の厚さを更に拡大したときの応力の解析結果である。この解析結果からも中空層の厚さが厚くなると、発生応力が大きくなることが確認できる。
【０１００】
Ｎｏ．１２は、Ｎｏ．１０との対比で接着厚（接着材層の厚さ）を変更したときの応力の解析結果であり、Ｎｏ．１３は、Ｎｏ．１１との対比で接着厚を変更したときの応力の解析結果である。また、Ｎｏ．１４とＮｏ．１６は、Ｎｏ．１０及びＮｏ．１２との対比で接着幅（接着材層の幅）を変更したときの解析結果であり、Ｎｏ．１５とＮｏ．１７は、Ｎｏ．１１及びＮｏ．１３との対比で接着幅を変更したときの応力の解析結果である。この解析結果からガラス板に生じる応力は、接着材剤の厚さ、幅によっても変化することが確認できる。
【０１０１】
図１１は、接着厚、接着幅を変えたときの２枚のガラス板に生じる応力（面内）の解析結果を示す表である。
【０１０２】
なお、ここでは、２枚のガラス板の板厚を２．０ｍｍ、中空層の厚さを６３．９ｍｍ、中空層内の気体をアルゴンガスとし、ガラス寸法を高さ５００ｍｍ×横幅３５０ｍｍとして解析した。解析に使用したガラス板、接着材、シール、枠体の物性値は、上記と同じである。
【０１０３】
接着幅は、２０ｍｍ〜５ｍｍまで５ｍｍ刻みで変化させて解析した（２０ｍｍ、１５ｍｍ、１０ｍｍ、５ｍｍ）。また、接着厚は、０．５ｍｍ〜２．０ｍｍまで５ｍｍ刻みで変化させ、２．０ｍｍからは１．０ｍｍ刻みで５．０ｍｍまで変化させて解析した（０．５ｍｍ、１．０ｍｍ、１．５ｍｍ、２．０ｍｍ、３．０ｍｍ、４．０ｍｍ、５．０ｍｍ）。なお、接着材層は、ガラス板の端部から４．５ｍｍの位置に配置した。したがって、たとえば、接着幅が２０ｍｍのとき、接着材層は、ガラス板の端部から４．５ｍｍの位置から２４．５ｍｍの位置まで配置される。
【０１０４】
表（Ａ）は接着幅が２０ｍｍのときの解析結果、表（Ｂ）は接着幅が１５ｍｍのときの解析結果、表（Ｃ）は接着幅が１０ｍｍのときの解析結果、表（Ｄ）は接着幅が５ｍｍのときの解析結果を示している。
【０１０５】
表（Ａ）から（Ｄ）に示されるように、最大接着応力は、接着厚が５．０ｍｍ、接着幅が５．０ｍｍのときに外気側に発生し、４６．８ＭＰａとなる（図１０の表のＮｏ．１８）。
【０１０６】
したがって、少なくとも面内の許容応力が４６．８ＭＰａを超えるガラス板であれば、温度変化による割れに耐え得る多重ガラス障子が得られ、更に、許容応力が４７ＭＰａを超えるガラス板であれば、十分に割れに耐え得るガラス板障子が得られる。ガラス板の面内の許容応力は、ガラス板の板厚にもよるが、板厚が２ｍｍ〜３ｍｍのガラス板の場合、たとえば、化学強化ガラスを選択できる。
【０１０７】
《その他の実施形態》
複数の枠体を用いて複数のガラス板を隔置することにより、複数のガラス板からなる多重ガラス障子を構成することもできる。
【産業上の利用可能性】
【０１０８】
本発明の多重ガラス障子用枠体、多重ガラス障子によれば、部品点数および組み付け工数を削減することができ、多重ガラス障子の組み立てを簡略化することができ、又眺望性、開放感の向上、断熱性の向上を図ることができるとともに、多重ガラス障子のスリム化を図ることができ、デザイン性の向上を図ることができ、住宅用、その他建造物の窓に対して有用である。特に、既存の住宅、建造物等の窓の室内側にもう一つの内窓を配設し、二重窓化あるいは更に多重窓化して、防音性、断熱性、防犯性を高める場合の内窓の障子として有用である。
【符号の説明】
【０１０９】
１、１ａ、１ｂ…多重ガラス障子、２…ガラス板、３…多重ガラス障子の上端側の枠体、４…多重ガラス障子の側端側の枠体、５…多重ガラス障子の下端側の枠体、６…内面部、７…外面側部、８…側辺部、９…空間部、１０…スペーサー部、１１…縦框部、１２…屈曲框部、１３…框部、１４…接着材層、１５、１７…凹状部、１６…薄板部、２０、２０ａ、２０ｂ、２０ｃ…框部の溝部、２１…スペーサー部の側辺部の凹部、２２…縦框部の凹部、２４…ガイド凸条、２５…中空層、３０、３０ａ、３０ｂ、３０ｃ…端部保護カバー、３１…底面部、３２…ガイドリブ部、３３…屈曲部、３４…戸車、３５…戸車取付け部材、３６…窓枠、３７、４０…走行レール、３９、４１…ヒレ部、４２…端部保護カバーの凹部、４３…召し合せ部気密材、４４…縦枠部気密材、４５…屈曲先端部、５０…挿入溝部、５１…リップ部、５２…ベース部、６０…中間板
【図１】
2014208568.tif 000003
【図２】
2014208568.tif 000004
【図３】
2014208568.tif 000005
【図４】
2014208568.tif 000006
【図５】
2014208568.tif 000007
【図６】
2014208568.tif 000008
【図７】
2014208568.tif 000009
【図８】
2014208568.tif 000010
【図９】
2014208568.tif 000011
【図１０】
2014208568.tif 000012
【図１１】
2014208568.tif 000013